(57)【要約】【課題】印刷済の紙を紙積台上に積載する枚葉印刷機の紙積装置で、たとえ、印刷紙がアルミニウムの箔又は蒸着膜で加工されたものであっても、その積載量にしたがって紙積台が下降する程度およびタイミングを、積載不良のないように制御する紙積装置およびその制御方法の提供にある。【解決手段】枚葉印刷機で印刷され、印刷された紙３２が次々に搬送されて紙積台３上に一枚づつ積載され、該積載された紙３２の上面が所定の位置Ｈに達すると、自動的に一定距離Ｈで間欠的に下降を繰り返す紙積装置１において、前記間欠的に下降する一定距離Ｈが一枚の紙厚と特定の枚数の積であることとした紙積装置１及びその制御方法である。【選択図】図２
2005187130.tif 000002
【特許請求の範囲】
【請求項１】
枚葉印刷機で印刷され、印刷された紙が次々に搬送されて紙積台上に一枚づつ積載され、該積載された紙の上面が所定の位置に達すると、自動的に一定距離で間欠的に下降を繰り返す紙積装置において、前記間欠的に下降する一定距離が一枚の紙厚と特定の枚数の積であることを特徴とする紙積装置。
【請求項２】
枚葉印刷機で印刷され、印刷された紙が次々に搬送されて紙積台上に一枚づつ積載され、該積載された紙の上面が所定の位置に達すると、自動的に一定距離で間欠的に下降を繰り返す紙積装置の制御方法において、前記次々に搬送されてくる印刷された紙の枚数を計測し特定の枚数になると、予め入力された一枚の紙厚と特定の枚数との積により定めた下降距離で下降するようにしたことを特徴とする紙積装置の制御方法。
【発明の詳細な説明】
【技術分野】
【０００１】
本発明は、オフセット等枚葉印刷機の排紙部に設けられて、印刷済の紙を紙積台上に積載する紙積装置に関するものであり、特に、次々に搬送されてくる印刷済の紙の積載量にしたがって紙積台が下降する程度及びタイミングを、積載不良のないように制御する紙積装置およびその制御方法に関する。
【背景技術】
【０００２】
オフセット等枚葉印刷機の排紙部には、印刷済の紙を積載し、積載紙の増量にしたがって自動的に下降する紙積装置がある。
【０００３】
この紙積装置を図４に基づいて説明すると、例えば、枚葉印刷機の印刷ユニット（図示せず）で印刷された紙（枚葉紙）が、走行するグリッパーチェーン（３０）の爪（図示せず）でくわえられて搬送され、このグリッパーチェーン（３０）の爪によるくわえから開放された紙（３２）は、この紙積装置（１）の紙積台（２）の紙積板（３３）上に落下して積載されるような構成となっている。
【０００４】
そこで印刷作業を開始すると、印刷された紙（３２）は、グリッパーチェーン（３０）の走行により搬送され、排紙終端部においてグリッパーチェーン（３０）の爪のくわえから開放され、吸引車（３６）によって走行を制動され張られて紙積台（２）の紙積板（３３）上に落下して積載されるとともに、先端と側端が紙当て板（２２）と横寄せ板（２４）とで天地、左右方向に揃えられる。
【０００５】
上記のように、印刷された紙（３２）が紙積台（２）の紙積板（３３）上に落下して積載されたとき、紙積台（２）は紙（３２）の積載量にしたがって自動的に下降する。すなわち紙積台（２）紙積板（３３）上に所定量の紙（３２）が積載されて、最上の紙（３２ａ）の上面が所定の位置に達すると所定の距離で間欠的に下降し、次に搬送される印刷済の紙（３２）がジャミング現象（引っ掛かったりしてぐじゃぐじゃになる現象）を起こさないようにしている。
【０００６】
従来、上記最上の紙（３２ａ）の上面が達する所定の位置の検知に、検出体（紙）が近づくと静電誘導により検出電極の持つキャパシタンスが変化する現象を利用し出力させる方式の静電容量形近接センサ（例えば、非特許文献１参照。）が用いられ、例えば図４の側面図に示すように、この静電容量形近接センサ（３）は、積載された最上の紙（３２ａ）の紙当て板（２２）の近傍に非接触（数ｍｍの間隔）で配設されているのが一般的である。
【０００７】
以下に、上記先行技術文献を示す。
【非特許文献１】片岡照栄他編集「センサハンドブック」培風館（ｐ８４９〜８５２）
【発明の開示】
【発明が解決しようとする課題】
【０００８】
しかしながら、上記従来の静電容量形近接センサを用いて紙積台の下降を制御した紙積装置において、特に紙がアルミニウムの箔あるいは蒸着膜で加工されたものでは、搬送等による静電気の発生に乱れが生じ、その結果印刷された紙の上面の位置検知が不安定となり、紙積台の下降タイミングに誤作動が生じて積載不良となるという問題点があった。また、発生する静電気によりセンサ自体が故障し易いという問題点があった。
【０００９】
本発明は、かかる従来技術の問題点を解決するものであり、その課題とするところは、枚葉印刷機の排紙部に設けられ、印刷済の紙を紙積台上に積載する紙積装置において、例え、次々に搬送されてくる印刷済の紙がアルミニウムの箔あるいは蒸着膜で加工されたものであっても、その積載量にしたがって紙積台が下降する程度（距離）およびタイミングを、積載不良のないように制御することができる紙積装置およびその制御方法を提供することにある。
【課題を解決するための手段】
【００１０】
本発明に於いて上記課題を達成するために、まず請求項１の発明では、枚葉印刷機で印刷され、印刷された紙が次々に搬送されて紙積台上に一枚づつ積載され、該積載された紙の上面が所定の位置に達すると、自動的に一定距離で間欠的に下降を繰り返す紙積装置であって、前記間欠的に下降する一定距離が一枚の紙厚と特定の枚数の積であることを特徴とする紙積装置としたものである。
【００１１】
また、請求項２の発明では、枚葉印刷機で印刷され、印刷された紙が次々に搬送されて紙積台上に一枚づつ積載され、該積載された紙の上面が所定の位置に達すると、自動的に一定距離で間欠的に下降を繰り返す紙積装置の制御方法において、前記次々に搬送されてくる印刷された紙の枚数を計測し、特定の枚数になると、予め入力された一枚の紙厚と特定の枚数との積により定めた下降距離で下降するようにしたことを特徴とする紙積装置の制御方法としたものである。
【００１２】
上記請求項１および２でいう印刷された紙の上面の所定の位置とは、次々に搬送されてくる紙がジャミング現象を起こさない位置であり、一定距離で下降した時の紙の上面の位置は、次々に搬送されてくる紙が紙当て板や横寄せ板の外に飛び出さない程度の位置のことであり、これら両者の位置内では、積載不良とならない範囲である。
【発明の効果】
【００１３】
本発明は以上の構成であるから、下記に示す如き効果がある。
【００１４】
即ち、上記請求項１または２に係る発明によれば、枚葉印刷機で印刷された紙が次々に搬送されて紙積台上に一枚づつ積載され、積載された最上の紙の上面が所定の位置に達すると、自動的に一定距離で間欠的に下降を繰り返す紙積装置およびその制御方法で、前記間欠的に下降する一定距離を一枚の紙の厚さとその特定の枚数の積とすることによって、たとえ印刷済の紙がアルミニウムの箔あるいは蒸着膜で加工されたものであっても、従来の紙当て板近傍に配置された静電容量形近接センサを用いて、最上の紙上面の位置を検出するのと異なり、センサの故障等の問題がなく安定した紙積台の下降程度およびタイミングを、積載不良のないように制御する紙積装置およびその制御方法を提供できる効果がある。
【００１５】
従って本発明は、枚葉印刷機の排紙部に設けられて紙積装置で、特に、次々に搬送されてくる印刷済の紙の積載量にしたがって下降する程度及びタイミングを、積載不良のないようにする紙積装置及びその制御方法として、優れた実用上の効果を発揮する。
【発明を実施するための最良の形態】
【００１６】
以下本発明を実施するための最良の形態を図面を用いて詳細に説明する。
【００１７】
図１は、本発明の紙積装置が設けられている枚葉印刷機の一事例を側面で表した概略全体図であり、図２は、本発明の紙積装置の一事例を側面で表した概略説明図である。また図３は、本発明の紙積装置を制御する制御盤の一事例を説明する概略図である。
【００１８】
本発明は、図１に示すように、例えば枚葉オフセット印刷機の印刷ユニット（４）において、周縁にインキ供給部（４１）と湿し水供給部（４３）を有する版胴（４０）のインキをブランケット胴（４２）を介して圧胴（４４）との間で枚葉紙（３１）に印刷され、印刷された紙は、排紙胴（４６）を介してグリッパーチェーン（３０）の爪（図示せず）でくわえられて搬送され、排紙終端部すなわち紙積装置（１）に近づくと、このグリッパーチェーン（３０）の爪のくわえから開放され、開放された印刷済の紙（４２）は紙積装置（１）の紙積台（２）上に一枚づつ落下して積載され、この積載された紙（３２）の増量にしたがって紙積台（２）が下降を繰り返すようになっている紙積装置（１）およびこの下降の制御方法に関するものである。
【００１９】
上記請求項１に係る発明は、例えば図２の側面概略図に示すように、枚葉印刷機で印刷され、印刷された紙（３２）が次々に搬送されて紙積台（２）上に一枚づつ落下されて積載され、この積載された最上の紙（３２ａ）の上面が所定の位置（Ｈ）に達すると、自動的に一定距離（Ｄ）で間欠的に下降を繰り返すようになっている紙積装置（１）であって、この間欠的に下降する距離（Ｄ）が一枚の紙（３２）の厚さと特定の枚数の積であることとした紙積装置（１）である。
【００２０】
上記でいう積載された最上の紙（３２ａ）の上面が達する所定の位置（Ｈ）とは、次々に搬送されてくる紙（３２）がジャミング現象を起こさない位置であり、一定距離（Ｄ）で下降した時の最上の紙（３２ｂ）の上面の位置は、次々に搬送されてくる紙が排紙フレーム（２０）にシャフト（図示せず）で固定されている紙当て板（２２）や横寄せ板（２４）と下降した時の最上の紙（３２ｂ）との間から外に飛び出さない程度の位置のことであり、これら両者（３２ａと３２ｂ）の位置内では、ジャミング現象や外に飛び出すといった積載不良のない範囲である。
【００２１】
よって、上記本発明の紙積装置（１）でいう間欠的に下降する距離（Ｄ）は、印刷される（た）紙の質（腰の強さ、サイズ等）や印刷速度、印刷機種等によっても少々異なるものであり、これら各条件による過去のデータから決められるが、おおよそ５〜１５ｍｍ程度であり、よって紙（３２）の厚さが決まればこの下降する距離（Ｄ）に応じた特定の枚数を設定することができる。
【００２２】
また、上記請求項２に係る発明は、例えば図２の側面概略図に示すように、枚葉印刷機で印刷され、印刷された紙（３２）が次々に搬送されて紙積台（２）上に一枚づつ落下されて積載され、この積載された最上の紙（３２ａ）の上面が所定の位置（Ｈ）に達すると、自動的に一定の下降距離（Ｄ）で間欠的に下降を繰り返すようになっている紙積装置（１）の制御方法であって、図１に示すように、供給紙部（５０）から１枚づつ搬送される紙（３１）を印刷ユニット（４）の手前にあるシートパスセンサ（５２）で検知し、紙積装置（１）近傍のプリセットカウンターでカウントし、図３に示すように、カウントされた数値が制御盤（６０）の上部表示枠（６１）に表示され、このカウント値が、制御盤（６０）の下部表示枠（６２）内に表示されている、予め紙厚から計算され入力されたセット値（紙の特定枚数）に達すると、図２に示すように、自動的に一枚の紙（３２）の厚さとセット値（特定の枚数）との積により定めた下降距離（Ｄ）で下降するようにした紙積装置（１）の制御方法である。
【００２３】
このように、印刷される紙（３１）または印刷された紙（３２）をカウントすることのみで下降タイミングを自動的に制御が可能なので、従来のように、静電容量形近接センサーで下降タイミングを制御する方式と異なり、たとえ印刷される紙（３１）がアルミニウム箔やアルミニウム蒸着膜が施された加工紙であっても、積載不良がなく安定した積載が可能な紙積装置およびその制御方法とすることができる。
【００２４】
以下に実施例により具体的に説明するが、これに限定するものではない。
【実施例１】
【００２５】
印刷ユニットの手前にシートパスセンサを、紙積装置近傍にプリセットカウンターを配設し、プリセットカウンターでカウントされた数値を表示するの上部表示枠と、予め紙厚から計算され入力されたセット値（紙の特定枚数）を表示する上部表示枠とからなる制御盤を有するオフセット枚葉印刷機を用い、印刷される紙として、坪量４００ｇ／ｍ２  のコートボールの片面に、厚み７μｍのアルミニウム箔をラミネートし、さらにその上に厚さ６０μｍのポリエチレンフィルムをラミネートしたトータル厚み０．５８ｍｍで、Ｌ判の液体容器用原紙に、印刷速度９，０００枚／時間で４色印刷を行った。この時のセット値（紙の特定枚数）を２０枚即ち紙積台の下降距離を０．５８（ｍｍ）×２０（枚）＝１１．６ｍｍに設定した。
【００２６】
この結果、紙積装置における印刷済の紙の積載不良（ジャミングや外に飛び出す等）が全くないものであった。
【００２７】
以上のように、本発明は枚葉印刷機の排紙部に設けられ、印刷済の紙を紙積台上に積載する紙積装置において、特に印刷される（た）紙がアルミニウムの箔あるいは蒸着膜で加工されたものの場合、その積載量にしたがって紙積台が下降する程度（距離）およびタイミングを、積載不良のないように制御する紙積装置およびその方法として、優れた実用上の効果を発揮する。
【図面の簡単な説明】
【００２８】
【図１】本発明の紙積装置の一事例が備えられている枚葉印刷機の側面を表した概略全体図である。
【図２】本発明の紙積装置の一事例を側面で表した概略説明図である。
【図３】本発明の紙積装置を制御する制御盤の一事例を説明する概略図である。
【図４】従来の紙積装置の一事例を側面で表した説明図である。
【符号の説明】
【００２９】
１‥‥紙積装置
２‥‥紙積台
３‥‥静電容量形近接センサ
４‥‥オフセット印刷ユニット
２０‥‥排紙フレーム
２２‥‥紙当て板
２４‥‥横寄せ板
３０‥‥グリッパーチェーン
３１‥‥印刷される紙
３２‥‥印刷された紙
３２ａ‥‥所定の位置での印刷された最上の紙
３２ｂ‥‥下降した時の印刷された最上の紙
３３‥‥紙積板
３５‥‥つり下げチェーン
３６‥‥吸引車
４０‥‥版胴
４１‥‥インキ供給部
４２‥‥ブランケット胴
４３‥‥湿し水供給部
４４‥‥圧胴
５０‥‥給紙部
５２‥‥シートパスセンサ
６０‥‥制御盤
６１‥‥上部表示枠
６２‥‥下部表示枠
６３‥‥入切スイッチ
６４‥‥リセットスイッチ
Ｄ‥‥下降距離
Ｈ‥‥最上昇した時の紙の所定の位置
Ｓ‥‥下降した時の印刷された最上の紙の位置
【図１】
2005187130.tif 000003
【図２】
2005187130.tif 000004
【図３】
2005187130.tif 000005
【図４】
2005187130.tif 000006